(57)【特許請求の範囲】
【請求項１】
上部が開放された外容器（１０）と、前記外容器の一側にヒンジ結合されて開閉される外容器蓋（２０）とから構成されるコンパクト容器であって、
前記外容器（１０）の内側に収容されるパウチフレーム（３０）と、
前記パウチフレーム（３０）の内側に装着され、内部に化粧料が収容される軟質のパウチ容器（４０）と、
前記パウチ容器（４０）の一側端部に設置され、化粧料をポンピングするエアレスポンプ（５０）と、
前記外容器（１０）の上側に結合し、化粧料が吐出される吐出板（６０）と、
パウチ容器（４０）の吐出端部に接続される筒状のパウチハウジング（４１）と、
パウチハウジング（４１）の先端部から左右へと延び、垂直方向に沿って配置されたパウチ固定板（４３）と、
前記吐出板（６０）の一側に上下移動可能に結合するボタン（７０）とを含んでなり、
前記パウチフレーム（３０）の後面には、傾斜突出部（３１）が突設され、前記ボタン（７０）の下側には、前記傾斜突出部（３１）を垂直に加圧してパウチフレーム（３０）を水平に移動させる加圧突起（７１）が突設され、
パウチフレーム（３０）は、底壁、及び、その手前側、奥側及び左右の端部から上方へと延びる、手前側の壁、奥側の壁、及び左右の壁を含み、
パウチフレーム（３０）の奥側の壁が、パウチ固定板（４３）に、密着するように固定され、
パウチフレーム（３０）の手前側の壁から、複数の傾斜突出部（３１）が手前側へと突設され、これら傾斜突出部（３１）のうちの１つ以上のものが、パウチフレーム（３０）の手前側の壁における左右の端部から離間して配置され、
傾斜突出部（３１）の下部面は、奥側へと向かうにつれて下方に向かうように傾斜していることを特徴とする、パウチ容器を備えた垂直加圧コンパクト容器。
【請求項２】
少なくとも傾斜突出部（３１）の近傍で、パウチフレーム（３０）の手前側の壁は、その内面が、奥側へと向かうにつれて下方に向かうように傾斜していることを特徴とする、請求項１に記載のパウチ容器を備えた垂直加圧コンパクト容器。
【請求項３】
前記パウチ容器（４０）は、折り畳まれることで化粧料を残量なく使用することができるように下端中央部分が窪んだ形状の折り畳み部（４４）を備えることを特徴とする、請求項１に記載のパウチ容器を備えた垂直加圧コンパクト容器。
【請求項４】
前記エアレスポンプ（５０）と前記吐出板（６０）との間には、化粧料が上方に湧き飛び散ることを防止することができるように「⊃」状のノズル（８０）が結合しており、
このノズル（８０）は、
Ｌ字管状の下部ノズル（８２）、
これと組み合わされる逆Ｌ字管状の上部ノズル（８３）、及び、
下部ノズル（８２）の入口と、エアレスポンプ（５０）の吐出口とを直結する、筒状の連結部材（８１）により形成され、
筒状の連結部材（８１）は、手前の側の部分がエアレスポンプ（５０）の先端部に嵌め込まれ、奥側の部分に、下部ノズル（８２）における、水平方向に延びる部分が嵌め込まれており、
筒状の連結部材（８１）は、外容器（１０）の底面から上方へと突き出す固定突片（１７）により固定されており、この固定突片（１７）に、エアレスポンプ（５０）の先端部が突き当てられており、
パウチハウジング（４１）にエアレスポンプ（５０）が嵌め込まれていることを特徴とする、請求項１に記載のパウチ容器を備えた垂直加圧コンパクト容器。
【請求項５】
前記吐出板（６０）の一側には、化粧用具が内蔵される化粧品用具箱（９０）が設けられることを特徴とする、請求項１に記載のパウチ容器を備えた垂直加圧コンパクト容器。
【発明の詳細な説明】
【技術分野】
【０００１】
本発明は、パウチ容器を備えた垂直加圧コンパクト容器に係り、さらに詳しくは、外容器の内側にパウチフレームが収容され、前記パウチフレームの内側にエアレスポンプが取り付けられたパウチ容器が装着されるところ、パウチフレームの後面に傾斜突出部を突設し、傾斜突出部を垂直に加圧する加圧突起付きボタンを設けることで、前記ボタンを垂直に加圧すると、パウチフレームが水平に移動しながらエアレスポンプを作動させて化粧料が定量吐出できるようにすることにより、両手を使うことなく、片手でボタンを垂直に加圧して化粧料を容易に吐出することができるようにする、パウチ容器を備えた垂直加圧コンパクト容器に関する。
【０００２】
また、本発明は、ポンプの端部に結合して化粧料を排出させるノズルを「⊃」状に形成することにより、化粧料が上方に湧き飛び散ることを防止することができる、パウチ容器を備えた垂直加圧コンパクト容器に関する。
【背景技術】
【０００３】
一般に、ゲル状化粧料は、瓶状や筒状の化粧品容器に充填されるところ、使用の際にユーザーが手に取り、パフまたは手を使って肌に塗布する方式で使用された。
【０００４】
ところが、前記従来の化粧品容器は、化粧料を排出するために化粧料排出用スティックやスプーンを別に備えなければならないので、携帯に不便であるという問題点があった。
【０００５】
かかる問題点を解決するためにチューブ容器が開発され、容器に加わる圧力によって化粧料が排出されるようにすることにより、化粧料排出用スティックやスプーンを備えなくても容易に化粧料が排出されるようにし、便利に携帯することができるようにした。
【０００６】
しかし、前記従来技術は、加わる圧力によって化粧料の排出量が異なるため、定量吐出が難しいという問題点があり、必要以上の加圧によって化粧料が浪費されるという問題点があった。
【０００７】
かかる問題点を解決するために、韓国登録特許第１０−１２３１７８６号には、図１に示すような技術が開示されているところ、これは、エアレスポンプを後方から水平方向に押す方式によってポンプが作動するように構成したものである。
【０００８】
しかし、前記従来技術は、作動ボタンを水平方向に加圧して吐出する方式であって、片手で容器を把持した状態でボタンを押さなければならない構造なので、使用上非常に不便であるという問題点があった。
【０００９】
また、前記従来技術は、ノズルが容器本体に対して垂直に形成されており、化粧料を吐出させるときに化粧料が湧き上がって容器本体の外部に飛び散るという問題点があった。
【００１０】
また、前記従来技術は、化粧料をつけて塗るために使用する化粧用具を、排出孔付き収納室にのせて保管する構造なので、衛生上の問題点があった。
【発明の概要】
【発明が解決しようとする課題】
【００１１】
本発明は、かかる問題点を解決するためになされたもので、その目的は、外容器の内側にパウチフレームが収容され、前記パウチフレームの内側にエアレスポンプが取り付けられたパウチ容器が装着されるところ、パウチフレームの後面に傾斜突出部を突設し、傾斜突出部を垂直に加圧する加圧突起付きボタンを設けることで、前記ボタンを垂直に加圧すると、パウチフレームが水平に移動しながらエアレスポンプを作動させて化粧料が定量吐出できるようにすることにより、両手を使用することなく片手でボタンを垂直に加圧して化粧料を容易に吐出することができるようにする、パウチ容器を備えた垂直加圧コンパクト容器を提供することにある。
【００１２】
本発明の他の目的は、ポンプの端部に結合して化粧料を排出させるノズルを「⊃」状に形成することにより、化粧料が上方に湧き飛び散ることを防止することができる、パウチ容器を備えた垂直加圧コンパクト容器を提供することにある。
【００１３】
本発明の別の目的は、前記パウチ容器の下端の中央部分をくぼみ状に形成することにより、パウチが容易に折れるようにして化粧料を残量なく使用することができるようにする、パウチ容器を備えた垂直加圧コンパクト容器を提供することにある。
【００１４】
本発明の別の目的は、吐出板の一側に化粧用具箱を備えることにより化粧用具の衛生的な保管及び紛失防止効果がある、パウチ容器を備えた垂直加圧コンパクト容器を提供することにある。
【課題を解決するための手段】
【００１５】
本発明は、上部が開放された外容器１０と、前記外容器の一側にヒンジ結合されて開閉される外容器蓋２０とから構成されるコンパクト容器であって、
前記外容器１０の内側に収容されるパウチフレーム３０と、
前記パウチフレーム３０の内側に装着され、内部に化粧料が収容される軟質のパウチ容器４０と、
前記パウチ容器４０の一側端部に設置され、化粧料をポンピングするエアレスポンプ５０と、
前記外容器１０の上側に結合し、化粧料が吐出される吐出板６０と、
前記吐出板６０の一側に上下移動可能に結合されるボタン７０と、を含んでなり、
前記パウチフレーム３０の後面には、傾斜突出部３１が突設され、前記ボタン７０の下側には、前記傾斜突出部３１を垂直に加圧してパウチフレーム３０を水平に移動させる加圧突起７１が突設されることを特徴とする、パウチ容器を備えた垂直加圧コンパクト容器を提供する。
【００１６】
また、前記外容器１０の前面には磁石１１が装着され、前記外容器蓋２０の前面には磁性体２１が装着され、互いに着脱されることを特徴とする。
【００１７】
また、前記パウチ容器４０は、容易に折れて化粧料を残量なく使用することができるように、下端中央部分が窪んだ形状の折り畳み部４４を備えることが好ましい。
【００１８】
また、前記パウチ容器４０は、ポンピングの際に容易に潰れるよう、フレキシブルな材質のフィルムから形成され、前記フィルムは、ＰＥＴ（Ｐｏｌｙｅｔｈｙｌｅｎｅ  ｐｈｔｈａｌａｔｅ）樹脂、ポリエチレン（ｐｏｌｙｅｔｈｙｌｅｎｅ）、ポリプロピレン（ｐｏｌｙｐｒｏｐｙｌｅｎｅ）、又は熱可塑性エラストマー（ｅｌａｓｔｏｍｅｒ）のうち、いずれの１種以上の材質で形成されることが好ましい。
【００１９】
また、前記エアレスポンプ５０の一側端部には、パウチ容器４０の内部に収容された化粧料を吐出板６０へ排出させるノズル８０が結合することを特徴とする。
【００２０】
また、前記ノズル８０は、化粧料が上方に湧き飛び散ることを防止することができるように、「⊃」状に形成されることを特徴とする。
【００２１】
また、前記吐出板６０の一側には、化粧用具が内蔵される化粧品用具箱９０が設けられることを特徴とする。
【００２２】
また、前記化粧品用具箱９０は、化粧用具が収容される化粧用具収容溝９１と、前記化粧用具収容溝９１を覆う透明な材質の化粧用具カバー９２とからなることを特徴とする。
【発明の効果】
【００２３】
本発明に係るパウチ容器を備えた垂直加圧コンパクト容器は、外容器の内側にパウチフレームが収容され、前記パウチフレームの内側にエアレスポンプが取り付けられたパウチ容器が装着されるところ、パウチフレームの後面に傾斜突出部を突設し、傾斜突出部を垂直に加圧する加圧突起付きボタンを設けることで、前記ボタンを垂直に加圧すると、パウチフレームが水平に移動しながらエアレスポンプを作動させて化粧料が定量吐出できるようにすることにより、両手を使用することなく、片手でボタンを垂直に加圧して化粧料を容易に吐出することができるようにする、パウチ容器を備えた垂直加圧コンパクト容器を提供するという効果がある。
【００２４】
また、ポンプの端部に結合して化粧料を排出させるノズルを「⊃」状に形成することにより、化粧料が上方に湧き飛び散ることを防止することができる、パウチ容器を備えた垂直加圧コンパクト容器を提供するという効果がある。
【００２５】
また、前記パウチ容器の下端の中央部分をくぼみ状に形成することにより、パウチが容易に折れるようにして化粧料を残量なく使用することができるようにする、パウチ容器を備えた垂直加圧コンパクト容器を提供するという効果がある。
【００２６】
また、 吐出板の一側に化粧用具箱を備えることにより、化粧用具の衛生的な保管及び紛失防止効果がある、パウチ容器を備えた垂直加圧コンパクト容器を備えた化粧品容器を提供するという効果がある。
【図面の簡単な説明】
【００２７】
【図１】従来のエアレスポンプを有する化粧品容器の内容物吐出装置を示す。
【図２】本発明に係るパウチ容器を備えた垂直加圧コンパクト容器の斜視図である。
【図３】本発明に係るパウチ容器を備えた垂直加圧コンパクト容器の分解斜視図である。
【図４】本発明に係るパウチ容器を備えた垂直加圧コンパクト容器の断面図である。
【図５】本発明に係るにパウチ容器を備えた垂直加圧コンパクト容器のボタンが加圧されてパウチフレームが前方に移動する様子を示す断面図である。
【図６】本発明に係るパウチ容器を備えた垂直加圧コンパクト容器のボタンの加圧が解除されてパウチフレームが後方に移動する様子を示す断面図である。
【発明を実施するための形態】
【００２８】
以下、本発明に係るパウチ容器を備えた垂直加圧コンパクト容器の実施形態を、添付図面を参照して説明する。
【００２９】
図２は本発明に係るパウチ容器を備えた垂直加圧コンパクト容器の斜視図、図３は本発明に係るパウチ容器を備えた垂直加圧コンパクト容器の分解斜視図、図４は本発明に係るパウチ容器を備えた垂直加圧コンパクト容器の断面図、図５は本発明に係るにパウチ容器を備えた垂直加圧コンパクト容器のボタンが加圧されてパウチフレームが前方に移動する様子を示す断面図、図６は本発明に係るパウチ容器を備えた垂直加圧コンパクト容器のボタンの加圧が解除されてパウチフレームが後方に移動する様子を示す断面図である。
【００３０】
本発明に係るパウチ容器を備えた垂直加圧コンパクト容器は、上部が開放された外容器１０と、前記外容器の一側にヒンジ結合されて開閉される外容器蓋２０とから構成されるコンパクト容器であって、前記外容器１０の内側に収容されるパウチフレーム３０と、前記パウチフレーム３０の内側に装着され、内部に化粧料が収容される軟質のパウチ容器４０と、前記パウチ容器４０の一側端部に設置され、化粧料をポンピングするエアレスポンプ５０と、前記外容器１０の上側に結合し、化粧料が吐出される吐出板６０と、前記吐出板６０の一側に上下移動可能に結合するボタン７０とを含んでなり、
前記パウチフレーム３０の後面には、傾斜突出部３１が突設され、前記ボタン７０の下側には、前記傾斜突出部３１を垂直に加圧してパウチフレーム３０を水平に移動させる加圧突起７１が突設されることを特徴とする。
【００３１】
前記外容器１０は、前面裏側には磁石装着溝１２が設けられて磁石１１が装着され、両側面の内側には側面結合突起１３が多数設けられ、前後面の内側にはそれぞれ前面結合溝１４、後面結合溝１５が多数設けられる。
【００３２】
前記外容器１０の内側底面には、前記パウチフレーム３０が安着するフレーム安着溝１６が設けられ、前記フレーム安着溝１６の一側には、前記エアレスポンプ５０全体が前方に移動しないように防ぐ固定突片１７が上方に延設され、前記固定突片１７の中央には、ノズル８０が貫通するノズル貫通孔１７１が設けられる。
【００３３】
前記外容器蓋２０は、外容器１０の一側にヒンジ結合され、前記外容器１０を開閉する役割を果たす。
【００３４】
前記外容器蓋２０の前面裏側には磁性体装着溝２２が設けられて磁性体２１が装着され、前記磁性体２１は外容器１０の磁石１１と互いに着脱される。
【００３５】
また、前記外容器蓋２０の内側には、ユーザーが容易に化粧をすることができるように鏡２３が備えられてもよい。
【００３６】
前記パウチフレーム３０は、前記外容器１０のフレーム安着溝１５に前後移動可能に安着する。前記パウチフレーム３０の内側には、前記パウチ容器４０が装着されるパウチ装着溝３２が設けられ、前面にはエアレスポンプ５０が貫通するポンプ貫通孔３３が設けられる。
【００３７】
前記パウチフレーム３０の後面には、ボタン７０によって垂直に加圧されて前記パウチフレーム３０を水平に移動させる傾斜突出部３１が一体に設けられる。
【００３８】
前記傾斜突出部３１は、上部面３１１が傾いた形態の三角形または多角形の形状に形成され、１つ〜５つ備えられることが好ましい。
【００３９】
前記パウチ容器４０は、前記パウチフレーム３０のパウチ装着溝３２に水平に装着され、内部に化粧料が収容された軟質の材質で形成される。
【００４０】
前記パウチ容器４０は、容易に折れて化粧料を残量なく使用することができるよう、下端の中央部分が窪んだ形状の折り畳み部４４を備えることが好ましい。
【００４１】
前記パウチ容器４０の上側には、ポンプ取付孔４２を有するパウチハウジング４１が接合され、前記パウチハウジング４１の上端には、前記パウチフレーム３０の前面内側に密着してパウチ容器４０をパウチフレーム３０に固定させるパウチ固定板４３が外方に延設される。
【００４２】
また、前記パウチ容器４０は、ポンピングの際に容易に潰れるようにフレキシブルな材質のフィルムから形成され、前記フィルムは、ＰＥＴ（Ｐｏｌｙｅｔｈｙｌｅｎｅ  ｐｈｔｈａｌａｔｅ）樹脂、ポリエチレン（ｐｏｌｙｅｔｈｙｌｅｎｅ）、ポリプロピレン（ｐｏｌｙｐｒｏｐｙｌｅｎｅ）、又は熱可塑性エラストマー（ｅｌａｓｔｏｍｅｒ）のうちの少なくとも１種の材質で形成されることが好ましい。
【００４３】
前記エアレスポンプ５０は、パウチハウジング４１のポンプ取付孔４２に設置され、パウチ容器４０の内部に収容された化粧料をポンピングする。
【００４４】
前記エアレスポンプ５０は、ポンプ取付孔４２の内側に安着されて内容物吸入孔５８付きシリンダー５１と、前記内容物吸入孔５８を選択的に開閉する逆止弁５２と、前記シリンダー５１の上部に結合してシリンダー５１の内部を密閉させる密閉部材５３と、前記シリンダー５１の内側に設けられるピストン５４と、前記ピストン５４の外側に嵌められ、シリンダー５１の内側面に密着するピストンリング５５と、前記ピストン５４の上部に結合する固定部材５６と、前記密閉部材５３を弾持する弾性部材５７とから構成される。
【００４５】
また、前記エアレスポンプ５０のシリンダー５１とパウチハウジング４１との間には、パウチ容器４０内部の密閉力を向上させるために密閉リング５９がさらに設けられてもよい。
【００４６】
前記吐出板６０は、外容器１０の上側に結合し、前記吐出板６０の上部には、パフを収納して、化粧の際にはエアレスポンプ５０によって吐出された化粧料を前記パフに付けて使用できるようにするパフ収容空間６６が設けられる。
【００４７】
前記吐出板６０の前方には、吐出板６０を固定させ且つボタン７０が挿入されるボタンガイド６１が結合されて、後方には、吐出板６０を固定させる吐出板ガイド６２が結合される。
【００４８】
前記吐出板６０両側面には、外容器１０の側面結合突起１３に結合する側面結合溝６３が多数設けられ、前記吐出板６０のボタンガイド６１の下側には、外容器１０の前面結合溝１４に結合する前面結合突起６４が多数設けられ、前記吐出板６０の吐出板ガイド６２の下側には、外容器１０の後面結合溝１５に結合する後面結合突起６５が多数設けられる。
【００４９】
前記吐出板６０のパフ収容空間６６の一側には、前記エアレスポンプ５０によってポンピングされた化粧料が排出される吐出口６７が設けられる。
【００５０】
前記吐出板６０の上部一側には、化粧用具が内蔵される化粧用具箱９０が設けられるところ、前記化粧用具箱９０は、化粧用具の収容される化粧用具収容溝９１と、前記化粧用具収容溝９１を覆う化粧用具カバー９２とから構成される。
【００５１】
前記化粧用具カバー９２は、化粧用具カバー９２を開けなくても、前記化粧用具収容溝９１に収容された化粧道具を確認することができるように、透明な材質で形成されることが好ましい。
【００５２】
前記ボタン７０は、吐出板６０の一側に上下移動可能に結合されるが、前記ボタンの下側には、ボタン７０が吐出板６０に挿入された後は外部へ離脱しないようにするために離脱防止突部７２が一体に設けられ、前記離脱防止突部７２の両側面が前記ボタンガイド６１のボタン挿入溝６１１に挿入されてボタン７０の上下移動を案内する。
【００５３】
前記ボタン７０の下側には、前記パウチフレーム３０の傾斜突出部３１を垂直に加圧してパウチフレーム３０を水平に移動させる加圧突起７１が突設される。また、前記加圧突起７１は、傾斜突出部３１と同じ数だけ備えられることが好ましい。
【００５４】
すなわち、前記ボタン７０を垂直に加圧すると、加圧突起７１が下方に移動しながらパウチフレーム３０の傾斜突出部３１の上部面３１１を押圧し、これにより、図５に示すようにパウチフレーム３０と前記パウチフレーム３０に装着されたパウチ容器４０が押されて前方に移動しながらエアレスポンプ５０を作動させ、パウチ容器４０の内部に収容された化粧料が吐出板６０に吐出されるのである。
【００５５】
前記エアレスポンプ５０の一側端部には、パウチ容器４０の内部に収容された化粧料を吐出板６０へ排出させるノズル８０が結合されるところ、前記ノズル８０の一側端部は前記エアレスポンプ５０に結合し、他側端部は前記吐出板６０の吐出口６７に結合される。
【００５６】
前記ノズル８０は、エアレスポンプ５０の固定部材５６の内側に挿入される連結部材８１と、前記連結部材８１に結合されて上方に折り曲げられた「┘」状に形成された下部ノズル８２と、前記下部ノズル８２の上側に結合さて水平に折り曲げられた「┐」状に形成された上部ノズル８３とから構成される。
【００５７】
前記ノズル８０は、化粧料が上方に湧き飛び散ることを防止することができるように、「⊃」状に形成される。
【００５８】
すなわち、前記エアレスポンプ５０によってポンピングされてノズル８０を介して吐出された化粧料は、図５に示すように、上部ノズル８２の内側上端にぶつかって速度が減少した後、水平移動して前記吐出板６０の吐出口６７から吐出されるため、化粧料が急に上方に湧き飛び散ることはない。
【００５９】
次に、前述のように構成されたパウチ容器を備えた垂直加圧コンパクト容器の組立方法を説明する。
【００６０】
本発明に係るパウチ容器を備えた垂直加圧コンパクト容器を組み立てるためには、図３及び図４に示すように、まず、パウチフレーム３０を外容器１０のフレーム安着溝１６に安着させる。
【００６１】
その後、パウチ容器４０に化粧料を注入した後、前記パウチ容器４０のパウチハウジング４１にエアレスポンプ５０を結合させるところ、密閉リング５９がさらに形成された場合には、前記密閉リング５９をエアレスポンプ５０のシリンダー５１の外周縁に挿入した後、前記エアレスポンプ５０をパウチ容器４０のポンプ取付孔４２に結合させる。
【００６２】
次いで、ノズル８０の一側端部を前記エアレスポンプ５０に結合させ、他側端部を吐出板６０の吐出口６７に結合させる。
【００６３】
その後、前記吐出板３０の上部に透明材質の化粧用具カバー９２をヒンジ結合し、前面にボタンガイド６１を結合し、後面に吐出板ガイド６２を結合した後、ボタン７０を前記ボタンガイド６１の下側から挿入させる。
【００６４】
最後に、前述のようにパウチ容器４０とボタン７０が組み立てられた吐出板３０を容器本体１０の上部に結合させるところ、前記パウチ容器４０がパウチフレーム３０のパウチ装着溝３２に装着され、ノズル８０が外容器１０のノズル貫通孔１７１に差し込まれるようにして、本発明に係るパウチ容器を備えた垂直加圧コンパクト容器の組立を完了する。
【００６５】
上述したような方法で組み立てられたパウチ容器を備えた垂直加圧コンパクト容器の使用は、次のとおりである。
【００６６】
本発明に係るパウチ容器を備えた垂直加圧コンパクト容器を使用するためには、まず、外容器１０から外容器蓋２０を開放した後、吐出板６０の一側に設けられたボタン７０を押すと、図５に示すように、前記ボタン７０の下側に設けられた加圧突起７１が、外容器１０の内側に収容されたパウチフレーム３０の傾斜突出部３１を垂直に加圧し、これと同時にパウチフレーム３０及び前記パウチフレーム３０の内側に装着されたパウチ容器４０が押されて前方に移動する。
【００６７】
前記パウチ容器４０が前方に移動すると、パウチ容器４０の端部に設置されたエアレスポンプ５０の固定部材５６と前記固定部材５６に結合されたピストン５４は外容器１０の固定突片１７によって固定される反面、ピストンリング５５はシリンダー５１の内側面に密着して一緒に前方に移動するため、前記ピストン５４とピストンリング５５との間に隙間が発生して化粧料の排出通路が出来上がる。
【００６８】
その後、前記シリンダー５１がさらに前方に移動すると、前記シリンダー５１内の体積が減少しながらシリンダー５１内の吐出圧力によって逆止弁５２が内容物吸入孔５８を閉鎖させ、前記シリンダー５１内に収容されていた化粧料は、ピストン５４とピストンリング５５との間の隙間から出て前記ピストン５４の内部を通過した後、ノズル８０を経て吐出板６０の吐出口６７から吐出される。
【００６９】
前記ボタン７０の加圧を解除すると、図６に示すように、密閉部材５３を弾持する弾性部材５７の弾性によって密封部材５３が後方に移動し、前記密閉部材５３に結合したシリンダー５１とパウチ容器４０も後方に移動する。
【００７０】
この際、ピストン５４は、固定部材５６によって固定されているのに対し、ピストンリング５５は、シリンダー５１の内側面に密着してシリンダー５１と一緒に後方に移動するため、前記ピストン５４とピストンリング５５との間の隙間が詰まってしまい、これにより、シリンダー５１内の体積が大きくなって真空圧が発生する。
【００７１】
その後、前記シリンダー５１の内部に発生した真空圧によって逆止弁５２がシリンダー５１の底面設けられた内容物吸入孔５８を開放し、これにより、パウチ容器４０の内部に収容されていた化粧料が前記内容物吸入孔５８を介してシリンダー５１の内部に流入しながら、前記軟質のパウチ容器４０がシリンダー５１への化粧料の流入量だけ潰れるようになる。
【００７２】
前記パウチ容器４０内に収容された化粧料がすべて使われてパウチ容器４０を詰め替えるときは、まず、ボタンガイド６１と吐出板ガイド６２が結合した吐出板６０を外容器１０から分離させる。
【００７３】
次に、前記ノズル８０からエアレスポンプ５０とパウチ容器４０を分離させた後、前記ノズル８０に新しいエアレスポンプ５０とパウチ容器４０を結合させる。
【００７４】
最後に、前述のように、新しいパウチ容器４０が結合した吐出板６０を外容器１０の上部に結合させると、本発明に係るパウチ容器を備えた垂直加圧コンパクト容器の詰め替えが完了する。
【００７５】
以上、本発明で説明したものは、パウチ容器を備えた垂直加圧コンパクト容器を実施するための一実施形態に過ぎないものである。本発明は、前記実施形態に限定されるものではない。添付された請求の範囲で請求するように、本発明の要旨を逸脱することなく、当該発明の属する分野における通常の知識を有する者であれば誰でも様々な変更実施が可能な範囲まで、本発明の範囲に属するものと看做されるべきである。
【符号の説明】
【００７６】
１０    外容器
１１    磁石
２０    外容器蓋
２１    磁性体
３０    パウチフレーム
３１    傾斜突出部
４０    パウチ容器
４１    パウチハウジング
５０    エアレスポンプ
６０    吐出板
６１    ボタンガイド
６２    吐出板ガイド
６７    吐出口
７０    ボタン
７１    加圧突起
８０    ノズル
８１    連結部材
８２    下部ノズル
８３    上部ノズル
９０    化粧用具箱
９１    化粧用具収容溝
９２    化粧用具カバー
【図１】
0006634509.tif 000002
【図２】
0006634509.tif 000003
【図３】
0006634509.tif 000004
【図４】
0006634509.tif 000005
【図５】
0006634509.tif 000006
【図６】
0006634509.tif 000007